(57)【要約】【課題】置き忘れ・盗難等により紛失した携帯電話機の悪用を防止する。【解決手段】少なくとも表示、照明、振動、鳴動機能を停止状態とする悪用防止モードを用意し、この悪用防止モードへ移行するためのキーワードをキーワード設定プログラム１０４１を用いてキーワードエリア１０４３へ設定しておく。紛失時に他電話機等からの上記キーワードを含むメールが当該携帯電話機で受信されると、悪用防止モード設定プログラム１０４２によって当該携帯電話機を悪用防止モードへ移行させ、当該携帯電話機が故障しているようにしてその悪用を防止する。【選択図】        図１
2004159121.tif 000002
【特許請求の範囲】
【請求項１】
少なくとも表示手段の表示機能、操作手段上の照明機能、着呼時の振動機能及びスピーカの鳴動機能を停止状態とする悪用防止モードを備えた携帯電話機であって、
前記悪用防止モードへ移行させるのに用いるキーワードを設定するためのキーワード設定手段と、
受信したメール文に前記キーワードが含まれているときに自携帯電話機を前記悪用防止モードへ移行させるように制御する悪用防止モード設定手段と、
を備えた携帯電話機。
【発明の詳細な説明】
【０００１】
【発明の属する技術分野】
本発明は携帯電話機に係り、特に置き忘れ、盗難等に際してその悪用を防止し、内部に格納された情報を保護する機能を設けた携帯電話機に関するものである。
【０００２】
【従来の技術】
近年の携帯電話機には単に相手先の電話番号を登録する電話帳機能だけでなく、その相手先のメールアドレスや個人情報等の様々な情報を登録できるようになってきている。また、所有者本人の住所や生年月日等の個人情報も入力できる携帯電話機が増えてきている。それらの機能自体は便利なものであり、通常、使用者は様々な用途で利用しているが、それらを登録した携帯電話機が万が一、紛失または盗難等に遭ってしまった場合、その携帯電話機の契約自体を解約しても、これらの個人情報等は携帯電話機に残ったままとなり、これを見ず知らずの他人によって悪用される危険性があった。
【０００３】
携帯電話機の紛失や盗難時の他人による悪用を防止する対策としては、暗証番号を入力しなければキー操作ができないようにするダイヤルロック機能がある。また、特許文献１には、紛失した携帯電話機に対して別の電話機から何回も発呼を行い、当該携帯電話機は同一電話番号もしくは同一機種の電話機からの所定時間内に所定回数の発呼を受信すると当該携帯電話機を発呼禁止もしくはキーロック状態として悪用を防止するようにした携帯電話機が開示されている。
【０００４】
【特許文献１】
特開２００１−８６２２８号公報
【０００５】
【発明が解決しようとする課題】
暗証番号を用いたダイヤルロック機能は、発呼やメール送受信を行うごとに暗証番号入力によるロック解除操作を必要とするため、その機能を備えた携帯電話機であっても使われないことが多い。また、この機能を利用するとしても、暗証番号が４桁程度の数字であることが多く、破られる危険度が高い。
【０００６】
一方、特許文献１の技術では、一旦発呼禁止もしくはキーロック状態とされると、その解除には別途設定した暗証を入力する。この暗証入力は紛失した携帯電話機が幸いにして手元に戻ったときに行うものであるから、日常的に暗記して使う必要はなく、従って複雑な文字・記号を含んだ暗証であってもメモ等に記録しておいて利用すればよく、簡単に破られる心配はない。しかしこの技術では、発呼禁止もしくはキーロック状態となっていても表示、照明等は行われていて、携帯電話機が動作状態にあることがわかる。このため、外部インタフェース等を利用して電話帳等の内部データを読み出されてしまう危険性がある。
【０００７】
本発明の目的は、紛失した携帯電話機を他の電話機等からの操作によって外観上は故障しているように見せかける悪用防止モードを設け、紛失した携帯電話機に格納された情報を収得した者が利用しないようにした携帯電話機を提供する。
【０００８】
【課題を解決するための手段】
本発明は、少なくとも表示手段の表示機能、操作手段上の照明機能、着呼時の振動機能及びスピーカの鳴動機能を停止状態とする悪用防止モードを備えた携帯電話機であって、
前記悪用防止モードへ移行させるのに用いるキーワードを設定するためのキーワード設定手段と、
受信したメール文に前記キーワードが含まれているときに自携帯電話機を前記悪用防止モードへ移行させるように制御する悪用防止モード設定手段と、
を備えた携帯電話機を開示する。
【０００９】
【発明の実施の形態】
以下、本発明の実施の形態を説明する。図１は、本発明の携帯電話機の構成例を示す概略ブロック図で、制御部１０１、送信部１０２、受信部１０３、記憶部１０４、操作部１０５、振動部１０６、液晶表示部１０７、スピーカ１０８、マイク１０９及びアンテナ１１０等から成っている。以上の構成は従来の携帯電話機と特に変わるところはないが、記憶部１０４には発呼や送受信の制御、電話帳などの入力、表示制御等々の従来の機能を実現するためのプログラムの他に、本発明の特徴とする悪用防止モードで用いるキーワードを設定するためのキーワード設定プログラム１０４１、及びこのプログラムで設定されたキーワードを用いての他電話機等からの操作により当該携帯電話機を悪用防止モードへ移行させるための悪用防止モード設定プログラム１０４２が搭載されており、またキーワードエリア１０４３が設けられている。これらプログラムも制御部１０１により実行される。
【００１０】
図２は、キーワード設定プログラム１０４１のフローチャートで、このキーワード設定プログラム１０４１は、携帯電話機の操作部１０５にある機能キー操作により表示部１０７に表示されるメニュー内の「悪用防止設定」を選択することで呼び出されるものとする。呼び出されると、まず、図４のような表示を行ってユーザに暗証番号の入力を求める（ステップ２０１）。この暗証番号は携帯電話機で通常用いられているものでよい。入力された暗証番号が携帯電話機に予め登録されている暗証番号と一致したときは（ステップ２０２でＹｅｓ）、図５のような表示を行って、悪用防止モード設定機能の設定／解除かの選択をユーザに求める（ステップ２０３）。但し図５で「１．設定」が枠で囲んであるのは反転表示による選択状態を示す。ここで「設定」が選択されると図６のような表示を行ってユーザに悪用防止モード設定を行うときのキーワード入力を求め、このキーワードを記憶部３０４のキーワードエリア１０４３に記憶する（ステップ２０４）。そして悪用防止モード設定機能を有効とし、図７のような表示を行って処理を終わる（ステップ２０５）。またステップ２０３の表示画面（図５）で「解除」が選択されたときは、悪用防止モード設定機能をオフとし、図８のような画面を表示して処理を終わる（ステップ２０６）。なお、このキーワード設定プログラム１０４１では、キーワード入力だけの機能を持たせ、特に悪用防止モード設定機能の解除を行う機能はなくしてもよい。この場合は、例えばキーワードが設定されていれば悪用防止モード設定機能は有効（ＯＮ）だが、キーワードが設定されていなければ悪用防止モード設定機能は無効（ＯＦＦ）とするようにすればよい。
【００１１】
図３は、悪用防止モード設定プログラム１０４２のフローチャートである。このプログラムは、紛失等の発生時に当該携帯電話機へ他携帯電話機やパソコン等からメール（Ｅメール又はショートメール）が送信され、これが当該携帯電話機で受信されることにより起動される。起動されると、まず悪用防止モード設定機能がＯＮになっているかを調べ（ステップ３０１）、ＯＮになっていれば次に受信メールの本文又は題名のいずれかに、キーワードエリア１０４３に設定されたキーワードが含まれているかを調べる（ステップ３０２）。そしてキーワードが見つかると当該携帯電話機を悪用防止モードへ移行する（ステップ３０３）。この悪用防止モードでは、少なくとも表示部１０７の一切の表示・照明、操作部１０５上の照明、振動部１０６による振動、及びスピーカの鳴動を全て停止させる。これによって当該携帯電話機が悪用防止モードになっていると、当該携帯電話機を取得したものが故障していると判断し、例えその意図があっても悪用をあきらめさせることができる。さらにキーロックや発呼停止などを悪用防止モードに含ませればより確実に悪用を防止できる。
【００１２】
また、当該携帯電話機がＧＰＳ受信機能を持っているときは、悪用防止モードに設定されていても、送信部１０２や受信部１０３とその制御部１０１による制御機能は通常の動作状態にしておけば、悪用防止モード設定プログラム１０４２による悪用防止モード設定時などに、ＧＰＳにより得られる位置情報を送信させるようにすれば、紛失した携帯電話機の存在位置を知ることができる。
【００１３】
紛失した携帯電話機が手元に戻ったときには、悪用防止モードの設定を解除する必要がある。この方法は、悪用防止モードに入ったときに生きている機能によって異なる。悪用防止モードに入ったときに受信機能が生きていれば、悪用防止モード設定プログラムによる悪用防止モードへの移行と同様にキーワードと解除用に用意した簡単な符号を含むメールを受信させることで悪用防止モードを解除すればよい。あるいはキーワード入りのメールを受信する毎に悪用防止モードの設定、解除が交互に行われるようにしておいてもよい。また、表示はされないがキー操作が有効な悪用防止モードであれば、予め定めたキー入力、例えばキーワードそのもののキー入力等によって解除を行うようにしてもよい。これらの解除のための処理は簡単なプログラムを用意すれば実現できる。
【００１４】
なお、悪用防止モードへの移行や解除等を行うのは紛失時やそれが戻ったときだけのことであるか、用いるキーワードは複雑なものでもメモしておけばよく、キーワードを破られる危険は十分小さくできる。
【００１５】
【発明の効果】
本発明によれば、携帯電話機が万が一、紛失・盗難等に遭ってしまった場合、予め登録しておいたキーワードを含むショートメールあるいはｅ−ｍａｉｌを遠隔から受信させるだけで、あたかも携帯電話機が故障してしまったかのように見せかけ、登録している個人情報が悪用されてしまうことを防ぐことができる。
また、運良く紛失・盗難等に遭った携帯電話機が戻ってきた場合には、再度、同じキーワードを含むメールを受信させるなどの方法により、容易に通常の携帯電話機の状態に戻すことができる。
【図面の簡単な説明】
【図１】本発明の携帯電話機の概略構成例を示すブロック図である。
【図２】キーワード設定プログラムのフローチャートである。
【図３】悪用防止モード設定プログラムのフローチャートである。
【図４】暗証番号確認画面例である。
【図５】設定・解除選択画面例である。
【図６】キーワード指定画面例である。
【図７】設定完了画面例である。
【図８】解除完了画面例である。
【符号の説明】
１０１  制御部
１０４  記憶部
１０４１  キーワード設定プログラム
１０４２  悪用防止モード設定プログラム
１０４３  キーワードエリア
【図１】
2004159121.tif 000003
【図２】
2004159121.tif 000004
【図３】
2004159121.tif 000005
【図４】
2004159121.tif 000006
【図５】
2004159121.tif 000007
【図６】
2004159121.tif 000008
【図７】
2004159121.tif 000009
【図８】
2004159121.tif 000010